(57)【要約】【課題】小型・薄型のビューファインダーを実現して、撮像装置の小型化、薄型化を図ること。【解決手段】本発明は、画像表示素子Ｇｏに表示された画像を拡大して観察するための接眼レンズ系を有するビューファインダーにおいて、接眼レンズ系を、画像表示素子Ｇｏ側から負の屈折力を有する凹レンズＧ１と、正の屈折力を有する凸レンズＧ２とから構成し、負の屈折力を有する凹レンズＧ１と正の屈折力を有する凸レンズＧ２との間に光軸を所定の方向へ屈曲させるための反射部材Ｒｆを配置したものである。【選択図】図１
2005084284.tif 000002
【特許請求の範囲】
【請求項１】
画像表示素子に表示された画像を拡大して観察するための接眼レンズ系を有するビューファインダーにおいて、
前記接眼レンズ系を、前記画像表示素子側から負の屈折力を有する単レンズと、正の屈折力を有する単レンズとから構成し、
前記負の屈折力を有する単レンズと前記正の屈折力を有する単レンズとの間に光軸を所定の方向へ屈曲させるための反射部材を配置する
ことを特徴とするビューファインダー。
【請求項２】
画像表示素子に表示された画像を拡大して観察するための接眼レンズ系を有するビューファインダーにおいて、
前記接眼レンズ系を、前記画像表示素子側から負の屈折力を有する単レンズと正の屈折力を有する単レンズとから構成し、
前記正の屈折力を有する単レンズが、その内部に光軸を所定の方向へ屈曲させるための反射面を有する
ことを特徴とするビューファインダー。
【請求項３】
前記画像表示素子と前記接眼レンズ系との間隔を相対的に変化させて視度調整を行う
ことを特徴とする請求項１または２記載のビューファインダー。
【請求項４】
前記接眼レンズ系を構成する正の屈折力を有する単レンズを入射側光軸と略平行な方向に動かすことで視度調整を行う
ことを特徴とする請求項１または２記載のビューファインダー。
【請求項５】
撮像光学系と、前記撮像光学系によって形成された光学像を電気的な信号に変換する撮像素子と、前記撮像素子で変換して得た画像を表示する画像表示素子と、前記画像表示素子に表示された画像を拡大して観察するための接眼レンズ系を有するビューファインダーとを備える撮像装置において、
前記ビューファインダーは、
前記接眼レンズ系を、前記画像表示素子側から負の屈折力を有する単レンズと、正の屈折力を有する単レンズとから構成し、
前記負の屈折力を有する単レンズと前記正の屈折力を有する単レンズとの間に光軸を所定の方向へ屈曲させるための反射部材を配置する
ことを特徴とする撮像装置。
【請求項６】
撮像光学系と、前記撮像光学系によって形成された光学像を電気的な信号に変換する撮像素子と、前記撮像素子で変換して得た画像を表示する画像表示素子と、前記画像表示素子に表示された画像を拡大して観察するための接眼レンズ系を有するビューファインダーとを備える撮像装置において、
前記ビューファインダーは、
前記接眼レンズ系を、前記画像表示素子側から負の屈折力を有する単レンズと正の屈折力を有する単レンズとから構成し、
前記正の屈折力を有する単レンズが、その内部に光軸を所定の方向へ屈曲させるための反射面を有する
ことを特徴とする撮像装置。
【請求項７】
前記画像表示素子と前記接眼レンズ系との間隔を相対的に変化させて視度調整を行う
ことを特徴とする請求項５または６記載の撮像装置。
【請求項８】
前記接眼レンズ系を構成する正の屈折力を有する単レンズを入射側光軸と略平行な方向に動かすことで視度調整を行う
ことを特徴とする請求項５または６記載の撮像装置。
【発明の詳細な説明】
【技術分野】
【０００１】
本発明は、撮像機器において撮像範囲を確認するためのビューファインダーに関するものであり、さらに詳しくは、デジタルスチルカメラやデジタルビデオカメラ等のデジタル撮像機器に適した小型・薄型のビューファインダーおよびこれを用いた撮像装置に関するものである。
【背景技術】
【０００２】
デジタルスチルカメラやデジタルビデオカメラ等の撮像機器は、撮像光学系による光学像を記録する撮像手段と、撮像範囲を確認するための観察手段を備えている。このうち、観察手段としてはLCD（Liquid Crystal Display）パネルに撮像範囲を表示させ、観察者がこれを直視して撮像範囲を確認する方法が主流となりつつある。
【０００３】
一方、ユーザーの間にはビューファインダーを観察手段として用いることに対する要求も強くあり、多くのデジタルスチルカメラでは光学式ビューファインダーを搭載することでこの要求に応えている。
【０００４】
また、デジタルビデオカメラや一部のデジタルスチルカメラには、小型LCDによって表示される像を接眼レンズ系にて拡大し撮像範囲を確認する電子式ビューファインダーが搭載されている。
【０００５】
近年、デジタル撮像機器のコンパクト化に伴い、観察手段としてもより小型のものが求められている。特に、デジタルスチルカメラでは薄型化への要求が強く、ビューファインダーとしても小型化・薄型化への要求が高まっている。
【０００６】
一方、近年のデジタルスチルカメラでは３倍を超える高変倍化も望まれており、ビューファインダーとしても高変倍を達成した上で小型化・薄型化を達成していくことが求められている。
【０００７】
しかし、前記撮像機器の観察手段として従来の光学式ビューファインダーを用いると、高変倍率を確保するため光学系が大型化してしまい、小型化への要求には応えられない。
【０００８】
また、高変倍の光学式ファインダーでは高倍率で使用する時、被写体距離による視度の変動が大きく非常に見づらいファインダーとなってしまう。例え、視度調整機構を付けたとしても被写体距離によって毎回視度調整をしなければならないため、ファインダー使用時の使い勝手は非常に悪いものとなってしまう。
【０００９】
この解決策として、電子式ビューファインダーを搭載することが考えられる。電子式ビューファインダーを用いれば、小型・高変倍に対応できるだけでなく、視度の変化が無い、パララックスが生じない、といった性能面での向上が図れる。また、輝度の高いLCDが開発されたことにより、画像の視認性も大幅に改善されつつある。
【００１０】
代表的な小型の電子式ビューファインダーとしては、特許文献１に記載の技術が提案されている。
【００１１】
【特許文献１】特開２００２−３０３８０３号公報
【発明の開示】
【発明が解決しようとする課題】
【００１２】
しかしながら、上記特許文献１に記載の技術では、接眼レンズ系を構成する各レンズのパワー配置を最適化し小型化を図っているが、この構成で薄型化を図るのは非常に困難である。
【課題を解決するための手段】
【００１３】
本発明はこのような課題を解決するために成されたものである。すなわち、本発明は、画像表示素子に表示された画像を拡大して観察するための接眼レンズ系を有するビューファインダーにおいて、接眼レンズ系を、画像表示素子側から負の屈折力を有する単レンズと、正の屈折力を有する単レンズとから構成し、負の屈折力を有する単レンズと正の屈折力を有する単レンズとの間に光軸を所定の方向へ屈曲させるための反射部材を配置したものである。
【００１４】
また、本発明は、画像表示素子に表示された画像を拡大して観察するための接眼レンズ系を有するビューファインダーにおいて、接眼レンズ系を、画像表示素子側から負の屈折力を有する単レンズと正の屈折力を有する単レンズとから構成し、正の屈折力を有する単レンズの内部に光軸を所定の方向へ屈曲させるための反射面を設けたものである。
【発明の効果】
【００１５】
このような本発明によれば、小型・薄型のビューファインダーを実現でき、このビューファインダーを組み込んだ撮像装置の小型化、薄型化を図ることが可能となる。
【発明を実施するための最良の形態】
【００１６】
以下、本発明の実施の形態を説明する。図１は第１の実施形態に係るビューファインダーの構成図、図２は第１の実施形態に係るビューファインダーの接眼レンズ系の収差図、図３は第２の実施形態に係るビューファインダーの構成図、図４は第２の実施形態に係るビューファインダーの接眼レンズ系の収差図、図５は第３の実施形態に係るビューファインダーの構成図、図６は第３の実施形態に係るビューファインダーの接眼レンズ系の収差図、図７は第４の実施形態に係るビューファインダーの構成図、図８は第４の実施形態に係るビューファインダーの接眼レンズ系の収差図である。
【００１７】
図１、図３、図５および図７に示すように各実施形態に係るビューファインダーは、画像表示素子Ｇｏに表示された画像を拡大して観察するための接眼レンズ系を有している。この接眼レンズ系は、画像表示素子Ｇｏ側から負の屈折力を有する１枚の凹レンズ（単レンズ）Ｇ１と、正の屈折力を有する１枚の凸レンズ（単レンズ）Ｇ２とから構成されており、同等のファインダー倍率を１枚の凸レンズのみで構成したときと比較して全長の短縮化が図られている。
【００１８】
図１に示す第１の実施形態および図３に示す第２の実施形態では、前記１枚の凹レンズＧ１と前記１枚の凸レンズＧ２との間に光軸を所定の方向へ屈曲させるための反射部材Ｒｆが配置されている。
【００１９】
一方、図５に示す第３の実施形態および図７に示す第４の実施形態では、前記１枚の凸レンズＧ２をレンズプリズムで構成し、その内部に光軸を所定の方向へ屈曲させるための反射面Ｒｆ’（反射部材）を配置している。
【００２０】
ここで、接眼レンズ系の光軸は前記反射部材Ｒｆもしくは反射面Ｒｆ’において、ビューファインダーを搭載する撮像機器の厚さ方向に曲げられている。これにより、薄型撮像機器に適した薄型のビューファインダーを実現できる。
【００２１】
また、前記画像表示素子Ｇｏと前記接眼レンズ系との間隔を相対的に変化させ、ファインダー視度を調整できるようにすることで、観察者にとってより見やすいファインダーを構成できる。
【００２２】
なお、ビューファインダーの視度を調整する方法としては、前記接眼レンズ系を構成する正の屈折力を有する凸レンズＧ２を入射側光軸と略平行な方向に単独で動かすことも考えられる。
【００２３】
このようなレンズ構成および条件を満足させることで、小型・薄型のビューファインダーを実現している。
【実施例】
【００２４】
以下、上記各実施形態に対応した具体的な数値例を説明する。なお、実施例１は第１の実施形態、実施例２は第２の実施形態、実施例３は第３の実施形態、実施例４は第４の実施形態に各々対応している。また、各実施例において使用する記号の意味は次のとおりである。
【００２５】
Ｓｉ：物体側から数えてｉ番目の面
Ｒｉ：上記面Ｓｉの曲率半径
ｄｉ：物体側からｉ番目の面とｉ＋１番目の面との間の面間隔
ｎｉ：第ｉレンズのｄ線（波長５８７．６ｎｍ）における屈折率
νｉ：第ｉレンズのアッベ数
＊：非球面を使用した面
【００２６】
非球面形状は、非球面の深さをＸ、光軸からの高さをＨとすると、以下の数１によって定義されるものとする。
【００２７】
【数１】
2005084284.tif 000003
【００２８】
なお、数１において、Ａ、Ｂ、ＣおよびＤは、それぞれ４次、６次、８次および１０次の非球面係数である。
【００２９】
以下に、実施例１のデータを示す。表１は光学系の構成を示すデータであり、表２は非球面係数を示すデータである。
【００３０】
【表１】
2005084284.tif 000004
【００３１】
【表２】
2005084284.tif 000005
【００３２】
以下に、実施例２のデータを示す。表３は光学系の構成を示すデータであり、表４は非球面係数を示すデータである。
【００３３】
【表３】
2005084284.tif 000006
【００３４】
【表４】
2005084284.tif 000007
【００３５】
以下に、実施例３のデータを示す。表５は光学系の構成を示すデータであり、表６は非球面係数を示すデータである。
【００３６】
【表５】
2005084284.tif 000008
【００３７】
【表６】
2005084284.tif 000009
【００３８】
以下に、実施例４のデータを示す。表７は光学系の構成を示すデータであり、表８は非球面係数を示すデータである。
【００３９】
【表７】
2005084284.tif 000010
【００４０】
【表８】
2005084284.tif 000011
【産業上の利用可能性】
【００４１】
本発明に係るビューファインダーは、デジタルスチルカメラ、デジタルビデオカメラ等の撮像装置に適用することが可能である。
【図面の簡単な説明】
【００４２】
【図１】第１の実施形態に係るビューファインダーの構成図である。
【図２】第１の実施形態に係るビューファインダーの接眼レンズ系の収差図である。
【図３】第２の実施形態に係るビューファインダーの構成図である。
【図４】第２の実施形態に係るビューファインダーの接眼レンズ系の収差図である。
【図５】第３の実施形態に係るビューファインダーの構成図である。
【図６】第３の実施形態に係るビューファインダーの接眼レンズ系の収差図である。
【図７】第４の実施形態に係るビューファインダーの構成図である。
【図８】第４の実施形態に係るビューファインダーの接眼レンズ系の収差図である。
【符号の説明】
【００４３】
Ｇｏ…画像表示素子、Ｇ１…凹レンズ、Ｇ２…凸レンズ、Ｅｐ…アイポイント、Ｒｆ…反射部材
【図１】
2005084284.tif 000012
【図２】
2005084284.tif 000013
【図３】
2005084284.tif 000014
【図４】
2005084284.tif 000015
【図５】
2005084284.tif 000016
【図６】
2005084284.tif 000017
【図７】
2005084284.tif 000018
【図８】
2005084284.tif 000019